(57)【要約】【課題】操作が簡単で壊れにくく、さらに、認証媒体の認証機能により、その認証媒体を持った人に適切な情報を提供する情報処理装置の動作方法を提供する。【解決手段】認証番号読取部１１４により認証媒体３００から読み取った認証番号により、該認証媒体３００の過去の読み取り履歴を記憶部１１３または通信回線を介して接続されたサーバ２００から読み出して、該認証媒体３００の当該情報処理装置１１０における読み取り回数を計数し、前記読み取り回数に対応する所定の情報を前記表示部１１１に表示する。【選択図】  図１
2005039441.tif 000002
【特許請求の範囲】
【請求項１】
記憶部と、制御部と、表示部と、認証媒体から認証番号を取得する認証番号読取部とを備えた情報処理装置の動作方法において、
前記制御部は、
前記認証番号読取部により認証媒体から読み取った認証番号により、前記認証媒体の過去の読み取り履歴を前記記憶部または通信回線を介して接続されたサーバから読み出して、前記認証媒体の当該情報処理装置における読み取り回数を計数し、
前記読み取り回数に対応する情報を前記表示部に表示する
ことを特徴とする情報処理装置の動作方法。
【請求項２】
記憶部と、制御部と、表示部と、認証媒体から認証番号を取得する認証番号読取部とを備えた情報処理装置の動作方法において、
前記制御部は、
前記認証番号読取部により読み取った認証媒体の認証番号により、前記認証媒体の過去のアクセス履歴を通信回線を介して接続されたサーバから読み出して、当該情報処理装置が設置される施設に関する情報への前記認証媒体によるアクセスの有無を検出し、
前記アクセスの有無に応じた情報を前記表示部に表示する
ことを特徴とする情報処理装置の動作方法。
【発明の詳細な説明】
【０００１】
【発明の属する技術分野】
本発明は、認証番号を備えた認証媒体により認証を行いつつ簡単な操作を実現する情報処理装置の動作方法に関するものである。
【０００２】
【従来の技術】
近年のネットワーク技術の発展により、街頭などに誰でも利用できる情報収集装置が設置されようとしている。これら街頭端末と呼ばれる情報収集装置は、個人認証を行なって多様な情報を収集することができる。
【０００３】
しかし、これら情報収集装置は、タッチパネルを主体に操作することができるが、カード挿入口やテンキーなどの入力機器があり、多様な人から多様な使われ方をされるため、壊れ易いという課題を備えている。
【０００４】
また、商取り引きにおいては、広告を持ってくると割引するセールス方法がある。最近は、このセールスを電子化して、カードを介して買い物などを行なったりすると、ポイントが加算されることがしばしば見られる。
【０００５】
従来技術では、自動機でカードで認証を行なって、取得した割引が得られるものが提案されている。
【公知文献１】特開平１０−２４０９７１号
【公知文献２】特開２００２−３１２５７８号
【発明が解決しようとする課題】
公共の場で不特定多数の人が取り扱う情報機器は、操作が簡単で壊れにくいことが求められる。
【０００６】
本発明の目的は、操作が簡単で壊れにくく、さらに、カードの認証機能により、そのカードを持った人に適切な情報を提供可能な情報処理装置の動作方法を提供することにある。
【０００７】
【課題を解決するための手段】
本発明は、前記目的を達成するために、認証番号を備えた認証媒体の認証回数をカウントし、このカウント数に対応して所定の情報を提供する。
【０００８】
その代表的な手段は、記憶部と、制御部と、表示部と、認証媒体から認証番号を取得する認証番号読取部とを備えた情報処理装置の前記制御部が、前記認証番号読取部により認証媒体から読み取った認証番号により、前記認証媒体の過去の読み取り履歴を前記記憶部または通信回線を介して接続されたサーバから読み出して、前記認証媒体の当該情報処理装置における読み取り回数を計数し、前記読み取り回数に対応する情報を前記表示部に表示する情報処理装置の動作方法である。
【０００９】
また、他の手段は、記憶部と、制御部と、表示部と、認証媒体から認証番号を取得する認証番号読取部とを備えた情報処理装置の前記制御部が、前記認証番号読取部により読み取った認証媒体の認証番号により、前記認証媒体の過去のアクセス履歴を通信回線を介して接続されたサーバから読み出して、当該情報処理装置が設置される施設に関する情報への前記認証媒体によるアクセスの有無を検出し、前記アクセスの有無に応じた情報を前記表示部に表示する情報処理装置の動作方法である。
【００１０】
【発明の実施の形態】
以下、図１から図６を参照して、この発明に係るポイント付与システムを詳細に説明する。ここで、図１は、このポイント付与システムのシステム構成図、図２は街頭端末の外観図、図３は顧客データベースのデータ構成図、図４は街頭端末の画面例を示す説明図、図５は街頭端末の動作フロー図、図６はショップ端末の動作フロー図である。
【００１１】
先ず、図１を参照して、この実施の形態に係るポイント付与システムの概略構成を説明する。このシステムは、商店街１０の最寄りの駅などに設置される仮想ストリートセンタ１００と、この仮想ストリートセンタ１００に広告情報を提供している複数の店舗ＡからＦにそれぞれ設置されるショップ端末１３０と、この複数のショップ端末１３０と前記仮想ストリートセンタ１００とをネットワーク２０で結んで各種の情報を提供する情報提供会社２００と、利用者が保持する認証媒体３００とから構成される。
【００１２】
前記仮想ストリートセンタ１００は、複数の街頭端末１１０が並べて設置され、各街頭端末１１０の端末表示部１１１に各端末に割り当てられた店舗の広告情報を連続して表示することで仮想の商店街１０を構成する。例えば、この実施の形態では、図面最上部に説明用に図示した商店街１０のように、商店街１０を３つのエリア１１に分割し、各エリア１１に１台の街頭端末１１０を割り当てている。この商店街１０の例では、３つの店舗Ａ、Ｂ、Ｃを有する第１エリアを第１街頭端末に割り当て、同様に、２つの店舗を有する第２エリアを第２街頭端末に、１つの店舗を有する第３のエリアを第３街頭端末にそれぞれ割り当てる。ここで、この事例では、説明を簡単にするために、３つのエリア１１とこれに対応する３つの街頭端末１１０で説明してるが、これに限定されるものではなく、１または２個のエリアや、更に多くのエリアで構成してもよい。また、各エリアが担当する店舗１２も更に多くのものを担当するようにしてもよい。
【００１３】
前記街頭端末１１０は、各種の情報を表示する端末表示部１１１と、この街頭端末１１０を統括的に制御する端末制御部１１２と、担当する店舗１２の広告情報やこの街頭端末１１０を利用する利用者のカウント情報を格納する端末記憶部１１３と、前記認証媒体３００から認証情報を取得する端末読取部と、他の機器と通信回線で接続する端末通信部１１５とを備えている。これら複数の街頭端末１１０は、ネットワーク１１６に接続され、更にルータ１１７を介してネットワーク２０に接続される。
【００１４】
各店舗１２に設置されるショップ端末１３０は、前記街頭端末１１０と同様な装置構成を備えている。即ち、このショップ端末１３０は、各種の情報を表示するショップ表示部１３１と、このショップ端末１３０を統括的に制御するショップ制御部１３２と、利用者のカウント情報に基づいて前記ショップ表示部１３１に表示する画面情報を格納するショップ記憶部１３３と、前記認証媒体３００から認証情報を取得するショップ読取部１３４と、他の機器と通信回線で接続するショップ通信部１３５とを備えている。このショップ端末１３０は、前記ショップ通信部１３５を介してネットワーク２０に接続される。
【００１５】
前記情報提供会社２００は、ネットワーク２０上に情報提供サイトを開設し、ネットワーク２０を介して前記街頭端末１１０とショップ端末１３０に各種の情報を提供する。この実施の形態では、情報提供会社２００を１または複数のサーバで構成し、この情報提供サイトを統括制御するホスト制御部２０１と、顧客ＤＢを格納するホスト記憶部２０２を備えている。
【００１６】
前記認証媒体３００は、利用者の認証情報を格納する記憶部３０２と、前記街頭端末１１０の端末読取部１１４または前記ショップ端末１３０のショップ読取部１３４に対して、前記記憶部３０２に格納された認証情報を送信する通信部３０１とを備えている。この実施の形態では、例えば、前記認証媒体３００をカード形状に形成し、このカード内に設けられる記憶部３０２をミューチップと呼ばれるとＩＣチップで構成し、通信部３０１をアンテナで構成する。そして、認証媒体３００は、前記端末読取部１１４やショップ読取部１３４から電源電圧や読取指令などを受信することによって、前記ＩＣチップ内に格納された固有の番号を前記端末読取部１１４やショップ読取部１３４に送信するものを採用する。
【００１７】
この実施の形態では、前記ミューチップと呼ばれるものに限定するものではない。例えば、前記端末読取部１１４やショップ読取部１３４に対して前記認証媒体３００を接触させる程度の通信距離で、かつ前記認証媒体３００に対して電源電圧や読取指令を送ることで記憶部３０２内に格納された認証番号となり得る固有の番号を取得可能なものであればよい。したがって、前記認証媒体３００の外観も、カード型に限定されるものではなく、携帯可能であればよい。また、認証番号を備えた携帯電話などで代用しても良い。
【００１８】
更に、前記認証媒体３００をバーコードで固有の認証番号を付加したカードや、磁気テープに固有の認証番号を記録したカードでもよい。このような認証媒体３００では、前記端末読取部１１４やショップ読取部１３４を挿入式のカード読み取り装置を採用する。
【００１９】
このように、この実施の形態によれば、利用者は街頭端末に表示される広告情報を見ることで、仮想商店街を歩いているように情報を取得することができる。この特定の商店街を分割する各エリアと、そのエリアで紹介される店舗数は広告料などで適宜設定し、同様に、その表示する順番は広告料などであらかじめ設定する。そして、この実施の形態の大きな特徴は、前記広告情報を表示させる指示を、認証媒体３００が端末読取部１１４またはショップ読取部１３４に接触した回数で決定される。
【００２０】
したがって、このシステムによれば、利用者が認証媒体３００を前記街頭端末１１０の端末読取部１１４に触れるだけの簡単な操作で、前記街頭端末１１０から店舗情報を取得することができる。しかも、このシステムでは、新たな操作を行うことなく、触れた回数に応じて画面を切り替えて新たな情報を取得することができる。
【００２１】
そして、このシステムの特徴は、認証媒体３００から取得する認証情報に基づいて、利用者のアクセス履歴を記憶することができる。したがって、例えば、店舗Ａ、Ｂ、Ｃの情報を取得可能な前記第１街頭端末の場合、店舗Ａのみ閲覧した利用者は、間に他の利用者がこの第１街頭端末を使用したとしても、引き続いて店舗Ｂから閲覧することができるので、最初から情報を見直す必要がない。
【００２２】
また、このシステムの更なる特徴は、前記認証機能を利用して、利用者は、前記広告情報に付加された付加情報を街頭端末１１０から取得することができる。このシステムでは、広告情報を取得した利用者に特典ポイントが加算され、この情報は情報提供会社２００で管理される。したがって、特典を取得した利用者が、この特典を行う店舗に設置されるショップ端末１３０のショップ読取部１３４に認証媒体３００を触れる操作で、この利用者が特典を与えるべき利用者であるか否かを識別することができる。
【００２３】
つまり、この実施の形態に係るポイント付与システムによれば、街頭端末１１０の端末制御部１１２が、前記端末読取部１１４で読み取った認証媒体３００の認証番号により、この認証媒体３００の過去の読み取り履歴を前記端末記憶部１１３または通信回線を介して接続された情報提供会社２００のホスト記憶部２０２から読み出して、この認証媒体３００の当該街頭端末１１０における読み取り回数を計数し、前記読み取り回数に対応する情報を前記端末表示部１１１に表示することができる。
【００２４】
この実施の形態では、各街頭端末１１０が自身にアクセスした識別媒体３００の情報を管理し、その情報を前記情報提供会社２００に随時または定期的に送信して、ホスト記憶部２０２に格納される顧客ＤＢを更新する。もちろん、全てのアクセス情報を情報提供会社２００で管理してもよい。
【００２５】
また、ショップ制御部１３０は、前記端末読取部により読み取った認証媒体３００の認証番号により、この認証媒体３００の過去のアクセス履歴を通信回線を介して接続された情報提供会社２００のホスト記憶部２０２から読み出して、当該ショップ端末１３０が設置される施設に関する情報への該認証媒体３００によるアクセスの有無を検出し、前記アクセスの有無応じた情報を前記ショップ表示部１３１に表示することができる。
【００２６】
更に、情報提供会社２００のホスト制御部２０１は、前記認証媒体３００が前記街頭端末１１０またはショプ端末１３０にアクセスした回数に関する履歴情報の書き込み更新を受け付けるとともに、この認証番号に関する前記街頭端末１１０またはショプ端末１３０からアクセス回数の照会を受け付けて、前記読み取り回数に対応する情報を前記街頭端末１１０またはショプ端末１３０に提供し、この情報を各端末の各表示部１１１、１３１に表示することができる。
【００２７】
図２において、この実施の形態では、街頭端末１１０を図２のように仮想ストリートセンタ１００に並べて設置する。１つの街頭端末１１０は、商店街のエリアを示すタイトル表示部１５１と、その下部に配置される端末表示部１１１のメイン表示エリア１５２と、その下部の設けられる商店街の地図表示エリア１５３と、接触窓１５４を備え、これら街頭端末１１０が左右方向に連続的に設置されている。
【００２８】
即ち、この実施の形態では、地図表示エリア１５３に商店街の地図が示され、この地図に示された複数のエリアの１つのエリアのタイトルがタイトル表示部１５１に示されている。そして、使用者は、前記認証媒体３００を前記接触窓１５４に接触させることで、その回数に対応して、前記メイン表示エリア１５２に、この街頭端末１１０に割り当てられた店舗の広告情報が順次表示される。
【００２９】
したがって、この街頭端末１１０では、操作機構が外観に露出していないので、全体を堅牢な構造とすることができる。また、利用者は、商店街の地図に沿って配置される街頭端末１１０の所定の１台の前に立って、前記地図表示エリア１５３と、タイトル表示部１５１で希望するエリアであることを確認し、前記認証媒体３００を前記接触窓１５４に接触させる単純な操作で希望する広告情報を取得することができる。
【００３０】
前記したように、このシステムでは、この仮想ストリートセンタ１００を利用する利用客に対して、特典を与えるサービスを行うことができる。即ち、この仮想ストリートセンタ１００で広告情報を取得した利用客に対して特典を与え、この特典を得た利用者が実際の店舗に設置されたショップ端末１３０に対して同様な接触操作を行うことで、特別なサービスを得るようしている。
【００３１】
このシステムでは、前記ポイント付与システムを実現するために、図３に示すようなデータを街頭端末１１０や情報提供会社２００に備えるようにする。
【００３２】
図３において、（ａ）図は図１の左側の第１街頭端末が備える顧客データべースを示し、（ｂ）図は図１の中央の第２街頭端末が備える顧客データベースを示し、（ｃ）図は情報提供会社が備える顧客データベースを示している。
【００３３】
この実施の形態では、このシステムに参加する利用客に対して、前記カード型の前記認証媒体３００を配布する。したがって、このシステムでは情報提供会社２００が、会員の氏名、住所、電話番号を会員のベース情報として顧客ＤＢで管理する。そして、各会員に会員番号として、前記認証媒体３００が固有に備える識別番号を割り当て、これを記録している。また、このシステムでは、一般会員や特別会員を区別するための種別情報を格納することができる。
【００３４】
また、各街頭端末１１０は、各端末記憶部１１３に、各会員に対して、各街頭端末１１０が１サイクルとする接触回数を「総数」として、そのそれぞれの街頭端末１１０に対する会員の接触回数を「カウント」として記録する。
【００３５】
また、端末制御部１１２は、前記広告情報を表示すると、この広告情報の店舗に対して特典ポイントを付与する。例えば、図３（ａ）において、会員番号００１は、総数が３に対してカウント２、即ち、２回接触したことを示している。これにともなって、店舗Ａ、Ｂの特典ポイントが付加されていることを示している。また会員番号００１はランク１の会員であることを示している。また、会員番号００１は、図３（ｂ）に示すように、街頭端末００２においても、総数が２に対してカウント２、即ち２回の接触で店舗Ｃ、Ｄの特典ポイントを備えている。
【００３６】
さて、前記したように、この実施の形態では、街頭端末１１０ごとに割り当てられる店舗が異なっている。例えば、図３の（ａ）図に示す第１街頭端末は、３つの店舗Ａ，Ｂ，Ｃの広告情報を表示する。この街頭端末１１０は、識別媒体３００の最初の接触で図４（ａ）図に示すような店舗Ａの広告を表示し、２回目の接触で図４（ｂ）図に示すような店舗Ｂの広告情報を表示し、３回目の接触で図４（ｃ）図に示すような店舗Ｃの広告を表示し、これを１サイクルとして、４回目の接触では最初の店舗Ａの広告を表示する。同様に、図３（ｂ）図に示す第２街頭端末は２つの店舗が割り当てられているので、２回の接触を１サイクルに設定する。
【００３７】
この動作フローを図５を参照して更に説明する。図５において、先ず、街頭端末１１０の端末制御部１１２は、電源がＯＮされると初期画面を表示し（ステップ４００）常に、端末読取部１１４に識別媒体３００がアクセスしたかを監視している（ステップ４０１）。この初期画面は、端末記憶部１１３に格納された広告情報を順次表示しても良いし、商店街または当該エリアの地図情報、あるいは、接触操作を促す案内を表示するようにしてもよい。
【００３８】
端末制御部１１２は端末読取部１１４で認証番号が読み取られると（ステップ４０３）、この認証番号と端末記憶部１１３に格納された顧客ＤＢを検索する。この顧客ＤＢに該当する認証番号が抽出されると、当該顧客ＤＢのカウントに記録されたベース数値に「１」を加算し（ステップ４０５）、そのカウント数値が「総数」より大きいか否かを判定する（ステップ４０７）。ここで、カウント数値が「総数」より大きい場合とは、ベース数値、即ち、前回のカウントが「総数（この実施例においては３）」に等しい場合である。この判定で、カウント数値が総数より大きければ設定カウントを１に設定し（ステップ４１３）、最初の店舗広告である図４（ａ）図の広告を表示するとともに店舗Ａのポイント欄に特典ポイントを記録する（ステップ４１４）。
【００３９】
一方、ステップ４０７において、カウント数値が総数を越えない場合、カウントが２であるかを判定し（ステップ４０９）、更にカウントが３であるかを判定する（ステップ４１１）。
ステップ４０９でカウントが２であれば図４（ｂ）図に示す２番目の順位である店舗Ｂの広告情報を表示するとともに、この店舗の特典ポイントを記録し（ステップ４１５）、ステップ４１１でカウントが３であれば、図４（ｃ）図に示す３番目の順位である店舗Ｃの広告情報を表示するとともに、この店舗の特典ポイントを記録する（ステップ４１６）。
【００４０】
そして、端末制御部１１２は、各顧客端末１１０の端末表示部１１１に広告情報が表示されると、所定時間をカウントし、その所定時間が経過するとステップ４００へ移行させる。
【００４１】
ここでは、表示する情報の種類が３種類、即ち「総数」が３の場合につき説明したが、「総数」は３に限られるものではなく、他の数値でも可能である。
【００４２】
一方、情報提供会社２００の顧客ＤＢは、会員番号に対して、前記各街頭端末１１０の総数とカウントを記録するとともに、特典ポイントの有無を格納している。そして、ホスト制御部２０１がショップ端末１３０からの特定の会員番号の照会があると、前記顧客番号に対応するアクセス履歴または特典ポイントを参照して、その情報を前記ショップ端末１３０に回答することができる。
【００４３】
これを図６を参照して、更に詳細に説明する。図６はショップ端末１３０の動作フロー図である。図において、先ず、ショップ端末１３０のショップ制御部１３２は、電源がＯＮされると初期画面を表示し（ステップ４５０）常に、ショップ読取部１１４に識別媒体３００がアクセスしたかを監視している（ステップ４５１）。この初期画面は、ショップ記憶部１３３に格納されたこの店舗の紹介情報を順次表示しても良いし、商品の宣伝情報でも良いし、あるいは、接触操作を促す案内を表示するようにしてもよい。
【００４４】
ショップ制御部１３２はショップ読取部１３４で認証番号が読み取られると（ステップ４５３）、この認証番号を情報提供会社２００に照会する（ステップ４５５）。ショップ制御部１３２は、情報提供会社２００から、前記認証番号に関する特典ポイント情報や会員の種別情報を取得すると（ステップ４５７）、その取得した情報に対応して、前記ショップ記憶部１３３に格納した情報を表示する。
【００４５】
例えば、この実施の形態では、図４（ｄ）図に示すように、特典ポイントがない場合、「いらっしゃいませ、ゆっくりご覧下さい」と案内を促すとともに、「次回来店時に特典が得られる」案内を表示する。この場合、特典ポイントを加算するように情報提供会社２００の顧客ＤＢを更新依頼する（ステップ４６１）。
【００４６】
また、例えば、図４（ｅ）図に示すように、特典ポイントを備えた利用客である場合、特典の内容を案内するようにする。この場合、種別情報により、図４（ｆ）図に示すように、特典の内容を変更して案内しても良い。
【００４７】
また、ショップ制御部１３２は、特典ポイントに対応した情報を表示すると、この表示時間をカウントし、所定時間を経過すると（ステップ４６３）、初期画面を表示する（ステップ４５０）
このポイント付与システムは、前記仮想ストリートセンタの利用に限定したものではない。例えば、このシステムでは、利用客は、ショッピングセンターやテーマパーク等で配布される認証番号のついたカードなどを情報機器の読取部にかざしたり挿入したりすることで、利用客の認証番号を読み取らせる。これにより、カードを読み取った情報機器の制御部は、そのカードの過去の読み取り履歴からそのカードを読み取るのが何回目かを計数して読み取り回数に応じた情報を表示部に表示することができる。カードの読み取り履歴は通信回線を介して接続されるサーバーから読み出してきてもよい。例えば、その情報機器が３種類の情報を表示可能な場合、１回目の読み取りで店舗１の情報を、２回目の読み取りで店舗２のホームページを、３回目の情報で店舗３の店内レイアウトを、４回目の読み取りでは再び店舗１の情報に戻って表示するようにすることができる。
【００４８】
また、このカードを使って店舗１〜３の情報を見た利用客が、１〜３のいずれかの店舗へ行き、店舗に備え付けられた情報処理装置のカードリーダーにカードを読み取らせると、情報処理装置の制御部は、サーバーからこのカードのアクセス履歴を読み出して、当該店舗の情報へのアクセスの有無を検出することができる。アクセスが有る場合にはクーポン券や割引サービスに関する情報が表示される。アクセス履歴のないカードが読み取られた場合には、当該店舗の案内情報が表示される。
【００４９】
また、利用客が行う動作は、カードリーダーにカードをかざす等の、カードを読み取らせる動作の１種類である。認証番号のあるカードの読み取り・アクセス履歴から、そのカードに対して表示する情報を情報機器側で選択して表示するので、利用客はいつも同じ操作で、しかもカードリーダーにカードを読み取らせるだけの簡単な操作を行うことで、自分にあった情報を得ることができる。
【００５０】
なお、前記顧客ＤＢにおいては、前記認証媒体に割り当てられる識別番号に対応するカウント、総数、店舗特典等のアクセス記録が格納されていれば足り、利用客の氏名・住所・電話番号等の個人情報は必ずしも必要ではない。この構成によれば、利用客は会員登録する必要がなく、認証媒体となるカード等が配布されるとすぐにこのシステムを利用することができる。
【００５１】
また、カードの種類は、ミューチップ、ＩＣチップ、バーコードなど、認証可能なものであればよい。
【００５２】
さらに、この実施の形態では、街頭端末１１０やショップ端末１３０に読取部を１個備えるようにしたが、これを複数個備えるようにしてもよい。例えば、「ＹＥＳ」「ＮＯ」の１対の読取部を備えて、この２つの接触の仕方でより多くの操作指示を行うようにしても良い。
【００５３】
【発明の効果】
本発明によれば、操作が簡単で壊れにくく、さらに、認証媒体の認証機能により、その認証媒体を持った人に適切な情報を提供することができる。
【図面の簡単な説明】
【図１】この発明に係るポイント付与システムのシステム構成図である。
【図２】この発明に係るポイント付与システムの街頭端末の外観図である。
【図３】この発明に係るポイント付与システムの顧客データベースのデータ構成図である。
【図４】この発明に係るポイント付与システムの街頭端末の画面例を示す説明図である。
【図５】この発明に係るポイント付与システムの街頭端末の動作フロー図である。
【図６】この発明に係るポイント付与システムのショップ端末の動作フロー図である。
【符号の説明】
１０…商店街、１１…エリア、２０…ネットワーク、１００…仮想ストリートセンタ、１１０…街頭端末、１１１…端末表示部、１１２…端末制御部、１１３…端末記憶部、１１４…端末読取部、１１５…端末通信部、１１６…ネットワーク、１１７…ルータ、１３０…ショップ端末、１３１…ショップ表示部、１３２…ショップ制御部、１３３…ショップ記憶部、１３４…ショップ読取部、１３５…ショップ通信部、２００…情報提供会社、２０１…ホスト制御部、２０２…ホスト記憶部、３００…認証媒体、３０１…通信部、３０２…記憶部。
【図１】
2005039441.tif 000003
【図２】
2005039441.tif 000004
【図３】
2005039441.tif 000005
【図４】
2005039441.tif 000006
【図５】
2005039441.tif 000007
【図６】
2005039441.tif 000008